(57)【要約】【課題】カメラ付きのＰＤＡを利用することで、簡易かつ安価な構成により被写体のマルチビュー画像データを生成する手段を提供する。【解決手段】撮像装置保持器具１１は、数字の「７」の形状に屈曲した棒状体である支持部材の端部に、水平方向を長手方向とするアームが垂直方向の軸周りに回動可能に取付けられている。アームの一方の端部から下方に延伸する棒状体の概ね下端には、撮像装置１２を保持するホルダー１１１０が取付けられており、アームの他方の端部から下方に延伸する棒状体の概ね下端には、撮像装置１２のカメラにより被写体９の撮像が行われる際の背景を構成する背景板１１１２が取付けられている。撮像装置１２は移動角度を計測するセンサを内蔵し、アームの回動に伴い、所定角度の移動毎に被写体９を撮像する。アームが３６０度回転を終えると、被写体９を３６０度の範囲内の様々な方向から撮像した画像であるマルチビュー画像が得られる。【選択図】図１
2013152332.tif 000002
【特許請求の範囲】
【請求項１】
水平方向に延伸する棒状体であるアームと、
前記アームを垂直方向の軸周りに３６０度の範囲で回動可能に保持する保持部材と、
前記アームの一方の端部もしくは前記一方の端部と前記保持部材に保持される部分との間のいずれかの位置において前記アームから下方に延伸する延伸部材と、
前記延伸部材の下側の端部もしくは前記下側の端部と前記アームとの連結部との間のいずれかの位置において前記延伸部材に固定され、撮像装置を前記垂直方向の軸に向けて撮像可能に保持するホルダーと、
前記アームの前記一方の端部とは反対側の端部である他方の端部もしくは前記他方の端部と前記保持部材に保持される部分との間のいずれかの位置において前記アームに固定された板状体である背景板と
を備える撮像装置保持器具。
【請求項２】
前記アームの前記一方の端部、前記他方の端部、もしくは前記一方の端部と前記他方の端部との間のいずれかの位置において前記アームに対し移動可能に固定される重りを備える
請求項１に記載の撮像装置保持器具。
【請求項３】
前記アームに固定され、前記アームの長手方向が水平になっていることを確認するための水平器を備える
請求項１または２に記載の撮像装置保持器具。
【請求項４】
前記ホルダーの垂直方向の位置を調整する調整機構を備える
請求項１乃至３のいずれかに記載の撮像装置保持器具。
【請求項５】
前記ホルダーと前記垂直方向の軸との間の距離を調整する調整機構を備える
請求項１乃至４のいずれかに記載の撮像装置保持器具。
【請求項６】
前記保持部材は、前記アームを前記垂直方向の軸周りに回動させる駆動部を有する
請求項１乃至５のいずれかに記載の撮像装置保持器具。
【請求項７】
前記垂直方向の軸の延長下方向にレーザービームの照射を行うレーザーポインターを備える
請求項１乃至６のいずれかに記載の撮像装置保持器具。
【請求項８】
内側面が垂直方向を軸とする円筒形状である壁と、
前記壁の内側に配置され、水平方向に延伸する棒状体であるアームと、
前記アームを垂直方向の軸周りに３６０度の範囲で回動可能に保持する保持部材と、
前記アームの一方の端部もしくは前記一方の端部と前記保持部材に保持される部分との間のいずれかの位置において前記アームから下方に延伸する延伸部材と、
前記延伸部材の下側の端部もしくは前記下側の端部と前記アームとの連結部との間のいずれかの位置において前記延伸部材に固定され、撮像装置を前記垂直方向の軸に向けて撮像可能に保持するホルダーと
を備える撮像装置保持器具。
【請求項９】
内側面が垂直方向を軸とする円筒形状である壁と、
前記壁の内側に前記壁の内側面に沿うように配置された円形を描くレールと、
前記レールから延伸し、前記レール上を移動する延伸部材と、
前記延伸部材に固定され、撮像装置を前記垂直方向の軸に向けて撮像可能に保持するホルダーと
を備える撮像装置保持器具。
【請求項１０】
前記ホルダーが前記垂直方向の軸周りに所定の角度だけ移動したタイミングで所定の発信音を発音する発音部を備える
請求項１乃至９のいずれかに記載の撮像装置保持器具。
【請求項１１】
撮像を行い当該撮像により得られる画像を示す画像データを生成する撮像手段と、
垂直方向の軸周りに所定の角度だけ移動したことを検知する第１の検知手段と、
前記垂直方向の軸周りに３６０度移動したことを検知する第２の検知手段と、
前記第２の検知手段により３６０度移動したことが検知されるまでの間、前記第１の検知手段により前記所定の角度だけ移動したことが検知されたタイミングで前記撮像手段に対し撮像の指示を行う指示手段と、
前記撮像手段により生成された画像データを所定の外部の情報処理装置に送信する送信手段と
を備える撮像装置。
【請求項１２】
１軸以上のジャイロセンサもしくは２軸以上の加速度センサを備え、
前記第１の検知手段は、前記ジャイロセンサにより計測される角加速度もしくは前記加速度センサにより計測される加速度に基づき、前記垂直方向の軸周りに所定の角度だけ移動したことを検知し、
前記第２の検知手段は、前記ジャイロセンサにより計測される角加速度もしくは前記加速度センサにより計測される加速度に基づき、前記垂直方向の軸周りに３６０度移動したことを検知する
請求項１１に記載の撮像装置。
【請求項１３】
外部の音を拾音するマイクロフォンを備え、
前記第１の検知手段は、前記マイクロフォンにより拾音された音に基づき、前記垂直方向の軸周りに所定の角度だけ移動したことを検知し、
前記第２の検知手段は、前記マイクロフォンにより拾音された音に基づき、前記垂直方向の軸周りに３６０度移動したことを検知する
請求項１１に記載の撮像装置。
【請求項１４】
前記請求項１乃至１０のいずれかに記載の撮像装置保持器具と、
前記撮像装置保持器具が備える前記ホルダーに保持される前記請求項１１乃至１３のいずれかに記載の撮像装置と
を備える撮像システム。
【発明の詳細な説明】
【技術分野】
【０００１】
本発明は、被写体の撮像を行なう撮像システムに関する。
【背景技術】
【０００２】
被写体を３６０度の範囲内の複数の角度から撮像して得られた画像であるマルチビュー画像を示すデータ（以下、「マルチビュー画像データ」という）を生成するマルチビュー撮像システムは、医療などの分野において開発されてきた。
【０００３】
それらの従来のマルチビュー撮像システムの多くは、複数のカメラを要するなど、システム全体が大がかりである。
【０００４】
それに対し、特許文献１は、簡易な構成により被写体のマルチビュー画像データを生成するシステムを提案している。
【先行技術文献】
【特許文献】
【０００５】
【特許文献１】特開２００５−３３８９７７号公報
【発明の概要】
【発明が解決しようとする課題】
【０００６】
近年、携帯電話機能を備えたＰＤＡ（Personal Digital Assistance）であるスマートフォンや、携帯電話機能を持たないＰＤＡであるタブレット端末装置が普及している。これらのＰＤＡの多くはカメラを備え、静止画および動画の撮影が可能である。
【０００７】
本発明は、それらのカメラ機能付きのＰＤＡを利用することで、簡易かつ安価な構成により被写体のマルチビュー画像データを生成する手段を提供することを目的とする。
【課題を解決するための手段】
【０００８】
本発明は、上記の目的に鑑みて想到されたものであり、
水平方向に延伸する棒状体であるアームと、
前記アームを垂直方向の軸周りに３６０度の範囲で回動可能に保持する保持部材と、
前記アームの一方の端部もしくは前記一方の端部と前記保持部材に保持される部分との間のいずれかの位置において前記アームから下方に延伸する延伸部材と、
前記延伸部材の下側の端部もしくは前記下側の端部と前記アームとの連結部との間のいずれかの位置において前記延伸部材に固定され、撮像装置を前記垂直方向の軸に向けて撮像可能に保持するホルダーと、
前記アームの前記一方の端部とは反対側の端部である他方の端部もしくは前記他方の端部と前記保持部材に保持される部分との間のいずれかの位置において前記アームに固定された板状体である背景板と
を備える撮像装置保持器具を提供する（第１の実施態様）。
【０００９】
また、上記の第１の実施態様において、
前記アームの前記一方の端部、前記他方の端部、もしくは前記一方の端部と前記他方の端部との間のいずれかの位置において前記アームに対し移動可能に固定される重りを備える
構成を採用してもよい（第２の実施態様）。
【００１０】
また、上記の第１または２の実施態様において、
前記アームに固定され、前記アームの長手方向が水平になっていることを確認するための水平器を備える
構成を採用してもよい（第３の実施態様）。
【００１１】
また、上記の第１乃至３のいずれかの実施態様において、
前記ホルダーの垂直方向の位置を調整する調整機構を備える
構成を採用してもよい（第４の実施態様）。
【００１２】
また、上記の第１乃至４のいずれかの実施態様において、
前記ホルダーと前記垂直方向の軸との間の距離を調整する調整機構を備える
構成を採用してもよい（第５の実施態様）。
【００１３】
また、上記の第１乃至５のいずれかの実施態様において、
前記保持部材は、前記アームを前記垂直方向の軸周りに回動させる駆動部を有する
構成を採用してもよい（第６の実施態様）。
【００１４】
また、上記の第１乃至６のいずれかの実施態様において、
前記垂直方向の軸の延長下方向にレーザービームの照射を行うレーザーポインターを備える
構成を採用してもよい（第７の実施態様）。
【００１５】
また、本発明は、
内側面が垂直方向を軸とする円筒形状である壁と、
前記壁の内側に配置され、水平方向に延伸する棒状体であるアームと、
前記アームを垂直方向の軸周りに３６０度の範囲で回動可能に保持する保持部材と、
前記アームの一方の端部もしくは前記一方の端部と前記保持部材に保持される部分との間のいずれかの位置において前記アームから下方に延伸する延伸部材と、
前記延伸部材の下側の端部もしくは前記下側の端部と前記アームとの連結部との間のいずれかの位置において前記延伸部材に固定され、撮像装置を前記垂直方向の軸に向けて撮像可能に保持するホルダーと
を備える撮像装置保持器具を提供する（第８の実施態様）。
【００１６】
また、本発明は、
内側面が垂直方向を軸とする円筒形状である壁と、
前記壁の内側に前記壁の内側面に沿うように配置された円形を描くレールと、
前記レールから延伸し、前記レール上を移動する延伸部材と、
前記延伸部材に固定され、撮像装置を前記垂直方向の軸に向けて撮像可能に保持するホルダーと
を備える撮像装置保持器具を提供する（第９の実施態様）。
【００１７】
また、上記の第１乃至９のいずれかの実施態様において、
前記ホルダーが前記垂直方向の軸周りに所定の角度だけ移動したタイミングで所定の発信音を発音する発音部を備える
構成を採用してもよい（第１０の実施態様）。
【００１８】
また、本発明は、
撮像を行い当該撮像により得られる画像を示す画像データを生成する撮像手段と、
垂直方向の軸周りに所定の角度だけ移動したことを検知する第１の検知手段と、
前記垂直方向の軸周りに３６０度移動したことを検知する第２の検知手段と、
前記第２の検知手段により３６０度移動したことが検知されるまでの間、前記第１の検知手段により前記所定の角度だけ移動したことが検知されたタイミングで前記撮像手段に対し撮像の指示を行う指示手段と、
前記撮像手段により生成された画像データを所定の外部の情報処理装置に送信する送信手段と
を備える撮像装置を提供する（第１１の実施態様）。
【００１９】
また、上記の第１１の実施態様において、
１軸以上のジャイロセンサもしくは２軸以上の加速度センサを備え、
前記第１の検知手段は、前記ジャイロセンサにより計測される角加速度もしくは前記加速度センサにより計測される加速度に基づき、前記垂直方向の軸周りに所定の角度だけ移動したことを検知し、
前記第２の検知手段は、前記ジャイロセンサにより計測される角加速度もしくは前記加速度センサにより計測される加速度に基づき、前記垂直方向の軸周りに３６０度移動したことを検知する
構成を採用してもよい（第１２の実施態様）。
【００２０】
また、上記の第１１の実施態様において、
外部の音を拾音するマイクロフォンを備え、
前記第１の検知手段は、前記マイクロフォンにより拾音された音に基づき、前記垂直方向の軸周りに所定の角度だけ移動したことを検知し、
前記第２の検知手段は、前記マイクロフォンにより拾音された音に基づき、前記垂直方向の軸周りに３６０度移動したことを検知する
構成を採用してもよい（第１３の実施態様）。
【００２１】
また、本発明は、
上記の第１乃至１０のいずれかの実施態様にかかる撮像装置保持器具と、
当該撮像装置保持器具が備えるホルダーに保持される上記の第１１乃至１３のいずれかの実施態様にかかる撮像装置と
を備える撮像システムを提供する（第１４の実施態様）。
【発明の効果】
【００２２】
本発明の第１の実施態様にかかる撮像装置保持器具によれば、ユーザは、例えば、自機の移動角度を計測可能なセンサを備えたＰＤＡを、そのカメラの撮像方向がアームの回転の軸方向となるようにホルダーに取り付けた後、アームを軸周りに３６０度回転させることにより、被写体のマルチビュー画像データをＰＤＡに生成させることができる。その際、カメラから見て被写体の背景には常に背景板が位置するため、不要な背景が写真に写り込むことがない。
【００２３】
また、本発明の第２の実施態様にかかる撮像装置保持器具によれば、重りによりアームの水平方向のバランスが保たれ、アームのスムーズな回動が可能となり、例えばアームが回動の途中で止まるなどの不都合が生じにくい。
【００２４】
また、本発明の第３の実施態様にかかる撮像装置保持器具によれば、ユーザは水平器によりアームの長手方向が水平に保たれているか否かを容易かつ正確に確認することができる。
【００２５】
また、本発明の第４の実施態様にかかる撮像装置保持器具によれば、ユーザはホルダーに取り付けたＰＤＡ（カメラ）の高さを調整することで、マルチビュー画像における被写体の上下位置を調整することができる。
【００２６】
また、本発明の第５の実施態様にかかる撮像装置保持器具によれば、ユーザはホルダーに取り付けたＰＤＡ（カメラ）と被写体との間の距離を調整することで、マルチビュー画像における被写体の大きさを調整することができる。
【００２７】
また、本発明の第６の実施態様にかかる撮像装置保持器具によれば、アームが駆動部により回転されるため、マルチビュー画像データの生成においてユーザがアームを回転させる必要がない。
【００２８】
また、本発明の第７の実施態様にかかる撮像装置保持器具によれば、ユーザはレーザービームの位置を確認することにより、被写体に対するアームの回転の軸の位置を容易に調整することができる。
【００２９】
また、本発明の第８の実施態様にかかる撮像装置保持器具によれば、ユーザは、例えば、自機の移動角度を計測可能なセンサをＰＤＡを、そのカメラの撮像方向が円筒形状の壁で覆われた室内の中心方向となる
（第１実施例）
ようにホルダーに取り付けた後、アームを軸周りに３６０度回転させることにより、被写体のマルチビュー画像データをＰＤＡに生成させることができる。その際、カメラから見て被写体の背景には常に壁が位置するため、不要な背景が写真に写り込むことがない。
【００３０】
また、本発明の第９の実施態様にかかる撮像装置保持器具によれば、ユーザは、例えば、自機の移動角度を計測可能なセンサを備えたＰＤＡを、そのカメラの撮像方向が円筒形状の壁で覆われた室内の中心方向となるようにホルダーに取り付けた後、アームを壁に沿って３６０度回転させることにより、被写体のマルチビュー画像データをＰＤＡに生成させることができる。その際、カメラから見て被写体の背景には常に壁が位置するため、不要な背景が写真に写り込むことがない。
【００３１】
また、本発明の第１０の実施態様にかかる撮像装置保持器具によれば、ホルダーに取り付けられたＰＤＡ（カメラ）が軸周りに所定の角度だけ回動したタイミングで所定の音が発せられる。従って、マイクを備えるＰＤＡに、所定の音の拾音に応じて撮像を行わせるプログラムに従った処理を実行させることにより、ＰＤＡが自機の移動角度を計測するセンサを持たない場合であってもマルチビュー画像データの生成が可能となる。
【００３２】
また、本発明の第１１の実施態様にかかる撮像装置によれば、ユーザは、例えば上述した本発明の第１〜第１０のいずれかの実施態様にかかる撮像装置保持器具のホルダーに撮像装置を取り付けた後、撮像装置を軸周りに３６０度移動させることにより、被写体のマルチビュー画像データが撮像装置において生成され、所定の情報処理装置に対し送信される。そのため、生成されたマルチビュー画像データを当該所定の情報処理装置において処理・管理することが容易である。
【００３３】
また、本発明の第１２の実施態様にかかる撮像装置によれば、内蔵のジャイロセンサもしくは加速度センサにより自機の所定角度の移動が検知されるため、例えば外部から所定角度の移動を示す信号の発信等を要しない。
【００３４】
また、本発明の第１３の実施態様にかかる撮像装置によれば、撮像装置が所定角度だけ移動する毎に外部から所定の音を発音することで、撮像装置において所定角度の移動が検知される。
【００３５】
また、本発明の第１４の実施態様にかかる撮像システムによれば、上述のいずれかの撮像装置保持器具と上述のいずれかの撮像装置を有するので、それらの組み合わせにおいて上述した効果を得ることができる。
【図面の簡単な説明】
【００３６】
【図１】本発明の一実施例にかかる撮像システムの外観を模式的に示した図である。
【図２】本発明の一実施例にかかる発音器に通電を行うためのスイッチ機構を説明するための図である。
【図３】本発明の一実施例にかかる発音器を含む回路を示す図である。
【図４】本発明の一実施例にかかる撮像装置の機能構成を示すブロック図である。
【図５】本発明の一実施例にかかる撮像装置の処理を示すフロー図である。
【図６】本発明の一実施例にかかる撮像装置の処理を示すフロー図である。
【図７】本発明の他の一実施例にかかる撮像システムの外観を模式的に示した図である。
【発明を実施するための形態】
【００３７】
（第１実施例）
以下、本発明の一具体例である撮像システム１を第１実施例として説明する。撮像システム１は、例えば美容院もしくは理容院の店内に配置され、ヘアカットやヘアセットを終えた顧客の上半身のマルチビュー画像を示すマルチビュー画像データを生成するために用いられる。
【００３８】
図１は、撮像システム１の外観を模式的に示した図である。撮像システム１は、撮像装置保持器具１１と、撮像装置１２とを備えている。なお、図１には撮像装置１２により撮像される人物である被写体９も併せて図示されている。以下の説明において「前方」「後方」と言う場合、図１の被写体９から見た「前方」「後方」をそれぞれ意味するものとする。
【００３９】
撮像装置保持器具１１は、まず、床上に置かれ撮像装置保持器具１１の本体を支える円盤状の部材である基台１１０１と、基台１１０１から垂直上方に延伸するように基台１１０１に対し固定されたパイプである下方保持部材１１０２と、下方保持部材１１０２の内径よりやや小さい外径を持つパイプを数字の「７」のように２回、９０度に屈曲した部材である上方保持部材１１０３とを備えている。
【００４０】
基台１１０１の下側面上には、例えば、床面上における撮像装置保持器具１１の移動をスムーズにするためのキャスターが複数、取付けられている。
【００４１】
また、上方保持部材１１０３の垂直方向に延伸する２本のパイプ部分のうち、長い方（図１の左側の部分、以下「後方垂直部分」と呼ぶ）の下端部分が下方保持部材１１０２の中空部に差し込まれることで、下方保持部材１１０２は上方保持部材１１０３の上方に連結されている。
【００４２】
下方保持部材１１０２と上方保持部材１１０３の後方垂直部分との連結部には、下方保持部材１１０２に対する上方保持部材１１０３の垂直方向の位置を調整する締め付け部材１１０４が設けられている。締め付け部材１１０４は、例えば下方保持部材１１０２の上端部外側面上に切られたねじ山に螺合するように内側面上にねじ谷の切られた円筒形状の部材である。下方保持部材１１０２の上端部には、その端面から下方に向かい所定の長さに渡りパイプを貫通する切れ目が複数、設けられている。
【００４３】
従って、締め付け部材１１０４が上から見て時計回りに回されると、下方保持部材１１０２の上端部を締め付け部材１１０４が締め付け、その内側に挿入されている上方保持部材１１０３の下端部を下方保持部材１１０２が締め付けることで、下方保持部材１１０２に対し上方保持部材１１０３が固定される。ユーザは締め付け部材１１０４を反時計回りに回して上方保持部材１１０３に対する下方保持部材１１０２の締め付けを緩めた後、上方保持部材１１０３を垂直方向に移動してその位置を決めた後、締め付け部材１１０４を時計回りに回すことで、上方保持部材１１０３の垂直方向の位置を調整することができる。
【００４４】
上方保持部材１１０３の垂直方向に延伸する２本のパイプ部分のうち、短い方（図１の右側の部分、以下「前方垂直部分」と呼ぶ）の下端部には、円盤状の部材である下端部材１１０５が、例えばねじ止めにより連結されている。下端部材１１０５は円盤状の中心周りに円形に配置された自由に回動する多数のボールを有するボールベアリングであり、そのボールが上面側に露出している。
【００４５】
下端部材１１０５の上側には、ドーナツ形状の部材であるアームベース１１０６が、その中心に開けられている孔を上方保持部材１１０３の前方垂直部分が貫通した状態で載置されている。アームベース１１０６の直径は下端部材１１０５の直径と同じであり、アームベース１１０６に開けられている孔の直径は上方保持部材１１０３の前方垂直部分の外径よりやや大きい。上記のような構造により、アームベース１１０６は、下端部材１１０５のボールベアリング上で、上方保持部材１１０３の前方垂直部分の中心軸周りに自由に回動可能である。
【００４６】
アームベース１１０６の側面には、水平方向に延伸するパイプである前方アーム１１０７が連結されている。前方アーム１１０７のアームベース１１０６に連結されている側と反対側の端部内側には、前方アーム１１０７の内径よりやや小さい外径を持つパイプを１回、９０度に屈曲して「Ｌ」字形状とした部材である前方アングル１１０８の一方の端部が挿入されている。
【００４７】
前方アーム１１０７と前方アングル１１０８との連結部には、内側面上にねじ谷が切られた円筒形状の部材である締め付け部材１１０９が、前方アーム１１０７の端部の外側面上に切られたねじ山に螺合するように配置されている。前方アーム１１０７の前方アングル１１０８と連結される側の端部には、その端面からアームベース１１０６に向かう水平方向に所定の長さに渡り、パイプを貫通する切れ目が複数、設けられている。
【００４８】
ユーザは、締め付け部材１１０４により下方保持部材１１０２に対する上方保持部材１１０３の垂直方向の位置を調整する場合と同様の方法で、締め付け部材１１０９により前方アーム１１０７に対する前方アングル１１０８の水平方向の位置を調整することができる。
【００４９】
通常、前方アングル１１０８は、図１に示されるように、屈曲位置から見て前方アーム１１０７に連結されていない側の部分の長手方向が垂直方向となるように前方アーム１１０７に対し固定される。以下、前方アングル１１０８の水平方向を長手方向とする部分を「水平部分」、垂直方向を長手方向とする部分を「垂直部分」と呼ぶ。
【００５０】
前方アングル１１０８の垂直部分の下端部には、撮像装置１２を立てた状態で保持する部材であるホルダー１１１０が取り付けられている。ホルダー１１１０に保持された状態で、撮像装置１２の有するカメラの撮像方向が上方保持部材１１０３の前方垂直部材の軸方向を向くように、前方アングル１１０８に対するホルダー１１１０の方向が調整されている。
【００５１】
アームベース１１０６の側面の、前方アーム１１０７が連結されている側とちょうど反対側の位置には、水平方向に延伸した後、垂直下方に延伸するように「Ｌ」字形状に屈曲されたパイプである後方アングル１１１１が連結されている。以下、前方アングル１１０８と同様に、後方アングル１１１１の水平方向を長手方向とする部分を「水平部分」、垂直方向を長手方向とする部分を「垂直部分」と呼ぶ。
【００５２】
後方アングル１１１１の垂直部分の下端部には、広い板状体である背景板１１１２が取り付けられている。背景板１１１２は、概ね前方アングル１１０８の垂直部分の長手方向を中心とする円柱の側面の一部をなすように湾曲されている。
【００５３】
前方アーム１１０７には、リング状の部材である重り１１１３が、その孔を前方アーム１１０７が貫通するように取り付けられている。重り１１１３の孔の直径は前方アーム１１０７の外径とほぼ同じである。
【００５４】
重り１１１３は、前方アーム１１０７の水平方向に対し、例えば摩擦力により固定されている。従ってユーザは重り１１１３に対し、その摩擦力に抗する以上の大きさの力を後方アングル１１１１の水平部分の長手方向に沿った方向に加えることで、前方アーム１１０７に対する重り１１１３の水平方向の位置を自由に調整することができる。
【００５５】
アームベース１１０６の上面上には、前方アーム１１０７および後方アングル１１１１の水平部分の長手方向が水平方向となっているか否かをユーザが確認するための水平器１１１４が取り付けられている。水平器１１１４は、例えば、気泡の入った着色されたオイルを封入したガラス管を備えている。水平器１１１４のガラス管は、その長手方向が水平方向となるように配置されており、前方アーム１１０７および後方アングル１１１１の水平部分の長手方向が水平方向に一致すると、オイルの中の気泡がガラス管の長手方向の中央に位置するように調整されている。
【００５６】
ユーザが重り１１１３の水平方向の位置を移動させると、重量バランスに従い、前方アーム１１０７に連結されているアームベース１１０６の水平面に対する傾きが変化する。ユーザは水平器１１１４の気泡がガラス管の中央に位置するように重り１１１３の水平方向の位置を調整することで、前方アーム１１０７および後方アングル１１１１の長手方向の水平を取ることができる。
【００５７】
下端部材１１０５の下面上には、レーザーポインター１１１５が取り付けられている。レーザーポインター１１１５は、上方保持部材１１０３の前方垂直部分の中心軸下方に向かいレーザービームを照射する。なお、レーザーポインター１１１５にはレーザービームの照射のＯＮ／ＯＦＦを行うスイッチが設けられるとともに、電源としての電池が内蔵されている。
【００５８】
ホルダー１１１０には、アームベース１１０６が下端部材１１０５に対し基準位置から１０度回転する毎に所定の波形の音を発する発音器１１１６が取り付けられている。
【００５９】
発音器１１１６に発音を行わせるため、下端部材１１０５およびアームベース１１０６には、例えば図２に示すようなスイッチ機構が設けられている。
【００６０】
すなわち、下端部材１１０５の上面は全体的に絶縁体で被覆され、その被覆の上に、円盤形状の中心周りに１０度間隔で、直径方向に所定の長さで延伸する導電体１１１７が計３６個、円周上に並ぶように整然と配置されている。また、アームベース１１０６の下面上には、下端部材１１０５の上面上に配置されている導電体１１１７に対向する位置に、２個で一対をなす接点１１１８が配置されている。
【００６１】
図３は、上述のスイッチ機構と発音器１１１６を含む回路を示す図である。図３に示されるように、接点１１１８の一方は、アームベース１１０６内に配置された電池の例えば正極に接続されている。電池の負極は発音器１１１６が有する２個一対の端子の一方に接続されている。発音器１１１６の他方の端子は接点１１１８の他方に接続されている。また、発音器１１１６による発音が不要な場合にユーザが発音をＯＮ／ＯＦＦするためのスイッチが設けられている。
【００６２】
ＯＮ／ＯＦＦ用のスイッチがＯＮにされた状態でアームベース１１０６が下端部材１１０５上で垂直方向の軸周りに回転すると、１０度回転する毎にいずれかの導電体１１１７が接点１１１８間を接続し、図３に示される回路に通電が行われる。その結果、発音器１１１６に電力が供給され発音が行われる。
【００６３】
なお、上述した撮像装置保持器具１１の構成は以下のように整理され得る。
【００６４】
すなわち、前方アーム１１０７および前方アングル１１０８の水平部分は、水平方向に延伸する棒状体であるアームを構成する。また、基台１１０１、下方保持部材１１０２、上方保持部材１１０３および下端部材１１０５は、アームを垂直方向の軸周りに３６０度の範囲で回動可能に保持する保持部材を構成する。
【００６５】
また、前方アングル１１０８の垂直部分は、アームの一方の端部もしくはその一方の端部と保持部材に保持される部分との間のいずれかの位置においてアームから下方に延伸する延伸部材を構成する。
【００６６】
以上が撮像装置保持器具１１の構造の説明である。
【００６７】
続いて、撮像装置１２の説明を行う。撮像装置１２は、ハードウェアとしてはカメラを内蔵した一般的なＰＤＡであり、例えば通話機能を備えるスマートフォンや、通話機能を備えないタッチパッド（タッチパネルを備え電話機能を備えないＰＤＡ）などである。
【００６８】
撮像装置１２には、自機の回転角度を計測するセンサであるジャイロセンサもしくは加速度センサを内蔵するもの（以下、「センサ内蔵タイプ」と呼ぶ）と、それらのセンサを内蔵しないもの（以下、「センサ非内蔵タイプ」と呼ぶ）がある。
【００６９】
なお、センサ内蔵タイプの撮像装置１２が以下に述べる処理を行うためには、撮像装置１２のカメラの撮像方向を水平方向とした場合の垂直方向の軸周りの移動角度が計測可能であればよいため、ジャイロセンサであれば垂直方向の軸周りの角加速度を計測する最低１個のセンサ（１軸以上のジャイロセンサ）、加速度センサであれば水平平面上の互いに異なる２方向の各々の加速度を計測する最低２個のセンサ（２軸以上の加速度センサ）を備えていればよい。
【００７０】
撮像装置１２は、例えばインターネットを介して所定のプログラム配信サイトからダウンロードされ撮像装置１２に対しインストールされたアプリケーションプログラム（以下、「アプリ」と呼ぶ）に従った処理を行うことにより、図４に示す機能構成部を備える装置として機能する。撮像装置１２の各機能構成部の機能は以下のとおりである。
【００７１】
第１の検知手段１２１：撮像装置１２が垂直方向の軸周りに１０度移動する毎に、その移動を検知し、その検知を示す検知信号を生成する。撮像装置１２がセンサ内蔵タイプであれば、センサから出力される信号に基づき、その検知が行われる。また、撮像装置１２がセンサ非内蔵タイプであれば、撮像装置保持器具１１の発音器１１１６から発せられ撮像装置１２が備えるマイクにより拾音される音の信号に基づき、その検知が行われる。
【００７２】
指示手段１２２：第１の検知手段１２１による検知信号の生成をトリガとして、撮像の指示を示す指示信号を生成する。
撮像手段１２３：指示手段１２２による指示信号の生成をトリガとして撮像を行い、撮像により得られた画像を示す画像データを生成する。
記憶手段１２４：撮像手段１２３により生成された画像データを記憶する。
第２の検知手段１２５：撮像装置１２が垂直方向の軸周りに基準位置から３６０度移動するとその移動を検知し、その検知を示す検知信号を生成する。
【００７３】
送信手段１２６：記憶手段１２４に記憶された複数の画像データ（マルチビュー画像データ）を、撮像システム１が配置されている店内に配置されている所定の端末装置（例えば、ＰＣ）に、例えば無線ＬＡＮ経由で送信する。なお、マルチビュー画像データの送信先の端末装置およびデータの格納先は、例えばアプリに予め記述されている識別データ（例えば、無線ＬＡＮにおけるアクセスポイントのＩＤおよびパスワードと、無線ＬＡＮ内におけるデータ送信先の端末装置のＩＰアドレスおよび格納先のフォルダ名）により特定される。
【００７４】
以上が撮像装置１２の構成の説明である。
【００７５】
撮像システム１により被写体９のマルチビュー画像の撮影が行われる際に、撮像システム１のユーザが行う操作および撮像システム１が行う動作を以下に説明する。なお、以下の説明において、撮像装置保持器具１１を操作するユーザが美容師であり、被写体９をその顧客であるものとする。
【００７６】
まず美容師は、レーザーポインター１１１５のスイッチをＯＮにして、ヘアセットが完了した状態で着座している顧客の頭の中央付近にレーザービームが照射されるように、撮像装置保持器具１１の位置を移動する。
【００７７】
続いて、美容師は、例えば顧客の所持する撮像装置１２を顧客から受け取り、アプリを起動した後、ホルダー１１１０にセットする。その状態で、撮像装置１２はカメラにより背景板１１１２を背景とする顧客の撮像を継続的に行い、撮像により得られた画像を順次、撮像装置１２のディスプレイに表示する。美容師は撮像装置１２のディスプレイに表示される画像を見ながら、必要に応じて締め付け部材１１０４や締め付け部材１１０９を操作して、画像内における顧客の顔の上下位置および大きさを調整する。
【００７８】
続いて、美容師は水平器１１１４の気泡の位置を見ながら、必要に応じて重り１１１３の水平方向の位置を調整し、アームおよびアームベース１１０６の水平を取る。
【００７９】
撮像装置１２がセンサ非内蔵タイプである場合、美容師は発音器１１１６のスイッチをＯＮにする。
【００８０】
続いて、美容師は、アプリの操作画面においてマルチビュー画像撮影の開始を指示するボタンにタッチする。そのタッチ操作に応じて、撮像装置１２はマルチビュー画像データの生成のための一連の処理を開始する。
【００８１】
図５は、センサ内蔵タイプの撮像装置１２における処理を示すフロー図である。
【００８２】
まず、撮像装置１２は、マルチビュー画像撮影の開始を指示するボタンに美容師がタッチした時点における撮像装置１２の位置を基準位置として特定し、移動角度の閾値Ｖを「１０度」に初期化した後、センサによる回転角度の計測を開始する（ステップＳ１０１）。
【００８３】
美容師は、例えば、前方アングル１１０８の角部付近に対し右から左に向けて水平方向に押し出すように力を加える。その力に従い、撮像装置保持器具１１のアームが上から見て時計回りに回動する。アームの回動に伴い、撮像装置１２はカメラの撮像方向に顧客の頭を捉えた状態を維持しながら、顧客の頭の周りをぐるりと一周するように移動する。
【００８４】
上記の移動の間、撮像装置１２は十分に短い間隔で、センサによる回転角度の計測結果が閾値Ｖに達したか否かを判定する（ステップＳ１０２）。
【００８５】
ステップＳ１０２の判定において、回転角度が閾値Ｖに達していないと判定された場合（ステップＳ１０２；いいえ）、撮像装置１２は処理をステップＳ１０２に戻す。すなわち、回転角度が閾値Ｖに達するまでの間、撮像装置１２は待機する。
【００８６】
ステップＳ１０２の判定において、回転角度が閾値Ｖに達したと判定された場合（ステップＳ１０２；はい）、撮像装置１２は撮像を行い、撮像された画像を示す画像データを生成する（ステップＳ１０３）。
【００８７】
ステップＳ１０３の処理が完了すると、撮像装置１２は閾値Ｖが３６０度であるか否かの判定を行う（ステップＳ１０４）。
【００８８】
ステップＳ１０４の判定において、閾値Ｖが３６０度でないと判定された場合（ステップＳ１０４；いいえ）、撮像装置１２は閾値Ｖに１０度を加算した後（ステップＳ１０５）、処理をステップＳ１０２に戻す。従って、回転角度が３６０度に達するまで、撮像装置１２が１０度移動する毎に、ステップＳ１０３の撮像処理が繰り返されることになる。
【００８９】
ステップＳ１０４の判定において、閾値Ｖが３６０度であると判定された場合（ステップＳ１０４；はい）、撮像装置１２はそれまでにステップＳ１０３において生成した計３６個の画像データ（マルチビュー画像データ）を店内の所定のＰＣ等に無線ＬＡＮを介して送信する（ステップＳ１０６）。
【００９０】
以上が、センサ内蔵タイプの撮像装置１２におけるマルチビュー画像データの生成に伴う処理である。
【００９１】
続いて、センサ非内蔵タイプの撮像装置１２におけるマルチビュー画像データの生成に伴う処理を、図６のフロー図に従い説明する。
【００９２】
まず、撮像装置１２は、カウンタの値Ｃを「１」に初期化した後、マイクによる拾音を開始する（ステップＳ２０１）。
【００９３】
美容師は、例えば、前方アングル１１０８の角部付近に対し右から左に向けて水平方向に押し出すように力を加える。その力に従い、撮像装置保持器具１１のアームが上から見て時計回りに回動する。アームの回動に伴い、撮像装置１２はカメラの撮像方向に顧客の頭を捉えた状態を維持しながら、顧客の頭の周りをぐるりと一周するように移動する。
【００９４】
上記の移動の間、撮像装置１２は十分に短い間隔で、マイクにより拾音された音の波形を、予めアプリに含まれているデータにより示される発音器１１１６から発せられる音の波形（基準波形）と比較し、それらの類似度が所定の閾値以上であるか否かを判定する（ステップＳ２０２）。
【００９５】
ステップＳ２０２の判定において、拾音された音の波形が基準波形と類似していないと判定された場合（ステップＳ２０２；いいえ）、撮像装置１２は処理をステップＳ２０２に戻す。すなわち、発音器１１１６から音が発せられるまでの間、撮像装置１２は待機する。
【００９６】
ステップＳ２０２の判定において、拾音された音の波形が基準波形と類似していると判定された場合（ステップＳ２０２；はい）、撮像装置１２は撮像を行い、撮像された画像を示す画像データを生成する（ステップＳ２０３）。
【００９７】
ステップＳ２０３の処理が完了すると、撮像装置１２はカウンタＣが３６であるか否かの判定を行う（ステップＳ２０４）。
【００９８】
ステップＳ２０４の判定において、カウンタＣが３６でないと判定された場合（ステップＳ２０４；いいえ）、撮像装置１２はカウンタＣに１を加算した後（ステップＳ２０５）、処理をステップＳ２０２に戻す。発音器１１１６は撮像装置１２が１０度移動する毎に基準波形に従った音を発する。従って、撮像装置１２がセンサ内蔵タイプである場合と同様に、回転角度が３６０度に達するまで、撮像装置１２が１０度移動する毎に、ステップＳ２０３の撮像処理が繰り返されることになる。
【００９９】
ステップＳ２０４の判定において、カウンタＣが３６であると判定された場合（ステップＳ２０４；はい）、撮像装置１２はそれまでにステップＳ２０３において生成した計３６個の画像データ（マルチビュー画像データ）を店内の所定のＰＣ等に無線ＬＡＮを介して送信する（ステップＳ２０６）。
【０１００】
以上がマルチビュー画像データの生成に伴い撮像装置１２において行われる処理の説明である。
【０１０１】
なお、上記のように生成されたマルチビュー画像データにより示される計３６の画像は、アプリに従い、例えば顧客が撮像装置１２を操作（例えば、撮像装置１２がタッチパネルを備える場合、画面を左右方向に払うような操作（フリック操作））を行うと、撮影された順（もしくは逆順）で順次、撮像装置１２のディスプレイ上に表示される。その結果、顧客は自分の頭部を３６０度の範囲内の任意の方角から見ることができる。
【０１０２】
また、美容院は顧客のマルチビュー画像データを、例えば店内のＰＣ等において閲覧したり管理したりすることができる。
【０１０３】
（第２実施例）
以下、本発明の他の具体例である撮像システム２を第２実施例として説明する。撮像システム２は、例えば遊技施設などに設置されるマルチビュー画像の撮像システムである。なお、撮像システム２は撮像システム１と多くの点で共通しているため、以下においては、撮像システム２が撮像システム１と異なる点を中心に説明する。また、撮像システム２が備える構成要素のうち撮像システム１が備えるものと同様のものについては、同じ符号を用いる。
【０１０４】
図７は、撮像システム２の外観を模式的に示した図である。まず、撮像システム２は撮像装置保持設備２１と撮像装置１２とを備えている。
【０１０５】
撮像装置保持設備２１は、内側面が垂直方向を軸とする円筒形状である壁２１１と、壁２１１の上端付近の内側面上に配置された円形を描くレール２１２と、レール２１２から延伸しレール上を移動する延伸部材２１３と、延伸部材２１３に固定され撮像装置１２を上述の垂直方向の軸に向けて撮像可能に保持するホルダー１１１０とを備えている。
【０１０６】
延伸部材２１３のレール２１２に連結する側の端部には、レール２１２に係合しレール２１２上を回転する車輪（図示略）と、車輪を駆動し回転させるモータ（図示略）が取付けられている。延伸部材２１３の車輪を駆動するモータは、例えばレール２１２を介して商用電源などの電源（図示略）から電力の供給を受ける。
【０１０７】
また、レール２１２上には、壁２１１の円筒形状の中心軸周りに１０度間隔で電源の正極および負極に各々接続された２個一対の端子が配置されている。延伸部材２１３が各導電体の位置に達すると、それらの端子が発音器１１１６を含む回路の端子と接続され、発音器１１１６に対する通電が行われる結果、発音が行われる。
【０１０８】
壁２１１の内側面上には、例えば壁２１１の湾曲に沿った形状の液晶ディスプレイ（図示略）が隙間無く配置されており、例えばホルダー１１１０の下に取付けられたコントローラを操作することによりユーザ（被写体９）が選択した背景画像がパノラマビューで表示される。
【０１０９】
ユーザは、自分の撮像装置１２をホルダー１１１０に取り付け、アプリの画面にてマルチビュー画像の撮影開始の操作を行う。続いてユーザはコントローラを操作して、背景画像のテーマを選択した後にマルチビュー画像の撮影の開始を指示する。その開始の指示に従い、撮像システム２のモータが運転し車輪が駆動されることにより、延伸部材２１３がレール２１２上を移動する。その際、１０度移動する毎に発音器１１１６からの発音が行われる。
【０１１０】
撮像装置１２は、撮像システム１に関し上述した動作と同様の動作により、被写体９のマルチビュー画像の撮像処理を行う。その際、壁２１１上にはユーザにより選択された背景画像が表示される。その結果、生成されるマルチビュー画像データにより示される画像の背景は、ユーザの希望したものとなる。
【０１１１】
（変形例）
上述した実施例は、本発明の技術的思想の範囲内で様々に変形が可能である。以下にそれらの変形の例を示す。
【０１１２】
まず、撮像システム１および撮像システム２の各構成要素の形状、数値、位置などはその機能を果たしうる限りどのように変更されてもよい。また、上述の説明においては、撮像システム１および撮像システム２の各構成要素の素材については特に言及しなかったが、素材もまた、その機能を果たしうる限りどのようなものが採用されてもよい。
【０１１３】
例えば、撮像システム１において基台１１０１は円盤形状の部材が採用されているが、三脚タイプの部材など、撮像システム１の他の構成要素を支持することが可能である限り、他のどのような構成の部材が採用されてもよい。
【０１１４】
また、撮像システム１において背景板１１１２は湾曲しているものとしたが、湾曲していない板状の部材が背景板１１１２として採用されてもよい。
【０１１５】
また、撮像システム１において水平器１１１４はアームベース１１０６の上に配置されているが、アームの水平を確認することが可能であれば、例えば前方アーム１１０７、後方アングル１１１１の水平部分など、他の位置に水平器１１１４が配置されてもよい。
【０１１６】
また、撮像システム１において、ホルダー１１１０の高さ調整機構（垂直方向の位置調整機構）は、下方保持部材１１０２に挿入された上方保持部材１１０３と、それらの連結部に配置された締め付け部材１１０４により構成されるものとしたが、例えば上方保持部材１１０３の前方垂直部分や前方アングル１１０８の垂直部分に同様の高さ調整機構を設けてもよい。また、それらの調整機構は、一方のパイプに他方のパイプが挿入された状態でそれらを締め付け部材により締め付ける構成に限られず、例えばレバーによりリリース・ロックを行うものなど、他の構成の調整機構が採用されてもよい。
【０１１７】
また、撮像システム１において、ホルダー１１１０と被写体９との距離の調整機構（水平方向の位置調整機構）は、前方アーム１１０７に挿入された前方アングル１１０８と、それらの連結部に配置された締め付け部材１１０９により構成されるものとしたが、例えば前方アーム１１０７がアームベース１１０６に対し伸縮することでホルダー１１１０の水平方向の位置調整を行う調整機構など、他の構成の調整機構が採用されてもよい。
【０１１８】
また、撮像システム１において、重り１１１３は前方アーム１１０７に配置されるものとしたが、例えばアームにおけるホルダー１１１０側に背景板１１１２側よりも大きな荷重がかかっている場合には、重り１１１３は後方アングル１１１１の水平部分に配置されることになる。
【０１１９】
また、撮像システム１および撮像システム２において、撮像は１０度の移動毎に行われるものとしたが、その角度は任意に変更可能である。例えば５度の移動毎に撮像が行われる構成が採用された場合、１０度の場合と比較し、マルチビュー画像の閲覧において画像がよりなめらかに推移して見える。
【０１２０】
また、撮像装置１２が所定角度だけ移動する毎に発音器１１１６による発音を行わせる仕組みとしては、上述の撮像システム１および撮像システム２において採用されている仕組みに限られない。例えば、発音器１１１６にジャイロセンサもしくは加速度センサを設け、それらのセンサから出力される回転方向の移動角度を示す信号に従い、発音器１１１６が発音を行う仕組みなど、他の仕組みが採用されてもよい。
【０１２１】
また、発音器１１１６を設けることなく、アームベース１１０６の回動や延伸部材２１３の移動に伴い、円周上に等角度間隔で配置された発音体が打撃されて振動し音を発する仕組みなど、他の発音の仕組みが採用されてもよい。
【０１２２】
また、撮像システム１において、アームの回動はユーザにより手動で行われるものとしたが、モータやゼンマイ、バネなどを用いた駆動機構により駆動されて回動する構成が採用されてもよい。
【０１２３】
また、撮像システム１または撮像システム２が備える構成部の全てが必ずしも必要ではない。例えば、アームが多少傾斜してもアームの回動がさほど妨げられないのであれば、重り１１１３や水平器１１１４は不要である。また、撮像装置保持器具１１の位置調整は目分量でも可能であるので、レーザーポインター１１１５も必須ではない。さらに、センサ内蔵タイプの撮像装置１２のみが利用されるのであれば、発音器１１１６もまた不要である。
【０１２４】
また、アームを垂直方向の軸周りに回動可能に保持する機構は、撮像システム１において採用されているものに限られない。
【０１２５】
また、撮像システム１においては、アームが床面上に載置された保持部材により保持される構成が採用されているが、例えば天井から下方に延伸するように取付けられた保持部材によりアームが回動可能に保持される構成が採用されてもよい。
【０１２６】
また、撮像システム１において、撮像装置１２によって生成されたマルチビュー画像データは無線ＬＡＮにより所定の情報処理装置に送信されるものとしたが、例えば移動電話網経由でインターネット上の所定のサーバ装置に送信されるなど、その送信の経路や送信先は任意に変更可能である。また、撮像装置１２から外部の情報処理装置に対するマルチビュー画像データの送信は必須ではない。
【０１２７】
また、撮像システム２において、レール２１２は壁２１１の上端部付近に配置されているが、レール２１２の配置位置は壁２１１の上端部付近に限られず、例えば床面上など、他の位置に配置されてもよい。なお、レール２１２が被写体９の頭の位置より低い位置に配置される場合、延伸部材２１３はレール２１２から上方に向けて延伸することになる。
【０１２８】
また、撮影システム１における背景板１１１２に代えて撮影システム２における壁２１１を設け、例えば天井から保持手段によりアームを回動可能に保持する構成の撮像装置保持器具が採用されてもよい。
【０１２９】
また、マルチビュー画像データの生成に伴い撮像装置１２により行われる処理のフローは上述したものに限られず、同等もしくは類似の結果をもたらす如何なる処理フローが採用されてもよい。例えば、撮像システム１においては３６枚の画像を示す画像データの生成が完了した後、それらの画像データを同時に外部の情報処理装置に送信するフローが採用されているが、例えば撮像装置１２の移動に伴い画像データが生成される毎に、生成された画像データを順次、情報処理装置に送信するフローが採用されてもよい。
【０１３０】
また、撮像システム２において、壁２１１には液晶ディスプレイによる背景画像の表示が行われるものとしたが、例えば壁２１１を単色の壁とし、壁２１１に対し背景画像を投影するプロジェクタを設けるなど、他の構成により背景画像の表示が行われてもよい。また、撮像システム１における背景板１１１２に液晶ディスプレイなどの表示装置を配置し、背景画像を選択可能としてもよい。
【０１３１】
また、撮像システム１もしくは撮像システム２の撮像装置１２が、撮像により得られた画像から被写体９の部分のみを切り出し、予め記憶している背景画像に対し、切り出した被写体９の画像をオーバーレイする処理を行う構成が採用されてもよい。その場合、背景板１１１２もしくは壁２１１は画像の切り出しが容易な単色であることが望ましい。
【産業上の利用可能性】
【０１３２】
本発明にかかる撮像装置保持器具、撮像装置および撮像システムは、簡易で安価な構成によりマルチビュー画像の生成を可能とするため、理美容業などのサービス業や医療といった多くの分野で利用されることが期待される。したがって、大量に製造・販売され、いわゆる製造業や、小売業などのサービス業において利用可能である。
【符号の説明】
【０１３３】
１…撮像システム、２…撮像システム、９…被写体、１１…撮像装置保持器具、１２…撮像装置、２１…撮像装置保持設備、１２１…第１の検知手段、１２２…指示手段、１２３…撮像手段、１２４…記憶手段、１２５…第２の検知手段、１２６…送信手段、２１１…壁、２１２…レール、２１３…延伸部材、１１０１…基台、１１０２…下方保持部材、１１０３…上方保持部材、１１０４…締め付け部材、１１０５…下端部材、１１０６…アームベース、１１０７…前方アーム、１１０８…前方アングル、１１０９…締め付け部材、１１１０…ホルダー、１１１１…後方アングル、１１１２…背景板、１１１３…重り、１１１４…水平器、１１１５…レーザーポインター、１１１６…発音器、１１１７…導電体、１１１８…接点
【図１】
2013152332.tif 000003
【図２】
2013152332.tif 000004
【図３】
2013152332.tif 000005
【図４】
2013152332.tif 000006
【図５】
2013152332.tif 000007
【図６】
2013152332.tif 000008
【図７】
2013152332.tif 000009